(57)【特許請求の範囲】
【請求項１】
建物のスラブ内に埋設されるとともに、前記スラブ内に配管される合成樹脂製の配管材を前記スラブ上に引き出すための管引出具であって、
前記スラブ内の前記配管材を引き込む引込口、およびその引き込まれた前記配管材を前記スラブ上に引き出す引出口を有する引出具本体と、
前記引出口を被うとともに、前記配管材を前記スラブ上に導く開口部を有する蓋体と、
を備え、
前記引出具本体は、前記蓋体を支持する支持部を有し、
前記支持部は、その下方に、前記スラブを形成するコンクリートが入り込むように、前記引出具本体の側方に突出して形成され、
前記蓋体は、前記開口部が設けられた蓋体本体が平面視が円形に形成されて、前記引出具本体に対して鉛直軸回りに回動可能となっており、前記開口部は、前記鉛直軸から偏心して設けられて、前記蓋体の回動により、前記引出具本体に対する前記開口部の位置が調整され、かつ、
前記開口部の位置が調整されてその開口部を通る前記配管材が前記スラブ上の所要の方向に導かれる、前記蓋体の各々の回動位置にて、前記蓋体は、前記引出具本体に固定可能となっていることを特徴とする管引出具。
【請求項２】
前記引出具本体は、固定片を有し、
前記蓋体本体には、通し孔が、前記蓋体の回動位置に応じて、前記引出具本体の前記固定片と対応するように、前記鉛直軸回りに複数設けられており、
螺子が、前記通し孔を挿通し、前記固定片に螺入することで、前記蓋体は、前記引出具本体に固定されることを特徴とする請求項１に記載の管引出具。
【請求項３】
前記蓋体は、前記蓋体本体と、その蓋体本体に螺合するとともに前記支持部に当接して前記蓋体本体を支える複数本のビスとを備え、
前記蓋体本体の上面の高さは、その蓋体本体への前記ビスの螺入量によって調整可能となっていることを特徴とする請求項１または２に記載の管引出具。
【発明の詳細な説明】
【０００１】
【発明の属する技術分野】
この発明は、建物のスラブ内に配管される合成樹脂製の配管材をスラブ上に引き出すための管引出具に関するものである。
【０００２】
【従来の技術、および発明が解決しようとする課題】
従来、建物のスラブ内に配管される配管材を、スラブ上に引き出すための引出具として、例えば、特開平８−２９６２５９号公報に示される管引出具が知られていた（図１１参照）。この管引出具１１によると、スラブ１２を形成するコンクリート１２ａを打設する前に、この管引出具１１が鉄筋等に固定されるとともに、配管材１３が管引出具１１の内部に導かれた。そして、コンクリート１２ａの打設および養生後に、管引出具１１の上端部分の閉塞板部（図示せず）が打ち抜かれ、その打ち抜きによってできた引出口１１ａから内部の配管材１３がスラブ１２上に引き出された。
【０００３】
しかしながら、前記従来の管引出具１１にあっては、引出口１１ａから内部の配管材１３をスラブ１２上に引き出した後、その引出口１１ａをコンクリート１２ａによって埋める必要があった。
【０００４】
この発明は、上記した従来の欠点を解決するためになされたものであり、その目的とするところは、配管材を引き出す引出口をコンクリートによって埋める必要がない管引出具を提供することにある。
【０００５】
【課題を解決するための手段】
この発明に係る管引出具は、前記目的を達成するために、次の構成からなる。すなわち、
請求項１に記載の発明に係る管引出具は、建物のスラブ内に埋設されるとともに、前記スラブ内に配管される合成樹脂製の配管材を前記スラブ上に引き出すための管引出具である。この管引出具は、前記スラブ内の前記配管材を引き込む引込口、およびその引き込まれた前記配管材を前記スラブ上に引き出す引出口を有する引出具本体と、前記引出口を被うとともに、前記配管材を前記スラブ上に導く開口部を有する蓋体と、を備える。そして、前記引出具本体は、前記蓋体を支持する支持部を有し、その支持部は、その下方に、前記スラブを形成するコンクリートが入り込むように、前記引出具本体の側方に突出して形成されている。また、前記蓋体は、前記開口部が設けられた蓋体本体が平面視が円形に形成されて、前記引出具本体に対して鉛直軸回りに回動可能となっており、前記開口部は、前記鉛直軸から偏心して設けられて、前記蓋体の回動により、前記引出具本体に対する前記開口部の位置が調整される。そして、前記開口部の位置が調整されてその開口部を通る前記配管材が前記スラブ上の所要の方向に導かれる、前記蓋体の各々の回動位置にて、前記蓋体は、前記引出具本体に固定可能となっている。
【０００６】
これにより、建物のスラブ内に配管される合成樹脂製の配管材は、引込口から引出具本体内に入り、引出口からスラブ上に引き出される。そして、この管引出具は、引出口を覆う蓋体を備えており、詳細には、配管材は、この蓋体が有する開口部を通ってスラブ上に導かれる。さらに、蓋体は、引出具本体の支持部に支持されるとともに、その支持部の下方に入り込むコンクリートによって間接的に支持される。また、蓋体を、引出具本体に対して鉛直軸回りに適宜回動することで、引出具本体に対する開口部の位置を調整することができ、その回動位置にて、蓋体を引出具本体に固定することができる。
また、請求項２に記載の発明に係る管引出具のように、請求項１に記載の管引出具において、前記引出具本体は、固定片を有し、前記蓋体本体には、通し孔が、前記蓋体の回動位置に応じて、前記引出具本体の前記固定片と対応するように、前記鉛直軸回りに複数設けられて、螺子が、前記通し孔を挿通し、前記固定片に螺入することで、前記蓋体は、前記引出具本体に固定されてもよい。
【０００７】
また、請求項３に記載の発明に係る管引出具のように、請求項１または２に記載の管引出具において、前記蓋体は、前記蓋体本体と、その蓋体本体に螺合するとともに前記支持部に当接して前記蓋体本体を支える複数本のビスとを備え、前記蓋体本体の上面の高さは、その蓋体本体への前記ビスの螺入量によって調整可能となっていてもよい。これにより、蓋体本体へのビスの螺入量を変えることで、蓋体本体の上面の高さを調整すれば、その蓋体本体の上面を、例えば、スラブの上面と同一の高さ位置にすることができる。なお、ビスの本数は、３本であるのが望ましい。
【０００８】
【０００９】
【発明の実施の形態】
以下、この発明に係る管引出具の実施の形態を図面に基づいて説明する。
【００１０】
図１ないし図１０は、本発明に係る管引出具の一実施の形態を示す。図中符号１は、建物のスラブである。２は、スラブ１内に配管される合成樹脂製の配管材である。３は、スラブ１内において、前記配管材２を収容保護する保護管である。４は、スラブ１内に埋設されるとともに、前記配管材２をスラブ１上に引き出すための管引出具であり、この管引出具４によって、例えば、湯が流れる配管材２が、スラブ１上に引き出され、その湯が床暖房に利用される。５は、スラブ１を形成するコンクリート１ａの打設の際に用いられるキャップ体である。６は、管引出装置であって、前記管引出具４と前記キャップ体５とからなる。
【００１１】
ここで、管引出具４は、引出具本体７と、蓋体８と、耐火部材９と、を備えている。引出具本体７は、スラブ１内の配管材２を引き込む引込口７ａ、その引き込まれた配管材２をスラブ１上に引き出す引出口７ｂ、蓋体８を支持する支持部７ｃ、蓋体８を固定するための螺子Ｒが雌ねじを形成するようにして螺入する固定片７ｄ、そして少なくとも引込口７ａ付近に透明または半透明な光透過部７ｅを有している。具体的には、引出具本体７は、例えば、ポリエチレン樹脂等の合成樹脂製であり、半透明体であって中空に形成されている。そして、引出具本体は、図４および図５に示すように、略逆円錐台形状の本体部７ｆと、その本体部７ｆの側壁７ｇから斜め下方に延びる筒部７ｈと、その筒部７ｈの先端面７ｉから窪むように形成された、当然に半透明な前記光透過部７ｅとからなる。
【００１２】
本体部７ｆは、その上方側が開口して、前記引出口７ｂとなっている。また、本体部７ｆの上端部分に前記支持部７ｃが設けられており、この支持部７ｃは、その下方に、スラブ１を形成するコンクリート１ａが入り込むように、引出具本体７の側方（図示実施の形態においては、本体部７ｆにおける筒部７ｈ側を除く全側方）に突出して形成されている。そして、支持部７ｃの周縁および筒部７ｈ側の側壁７ｇには、上方に向かって短円筒状に起立する上端部側壁７ｊが形成されている。そして、この上端部側壁７ｊには、その内側であって周方向の４ヵ所に、その周方向に長手となる係合突起７ｋ、７ｋが設けられている。
【００１３】
固定片７ｄは、スラブ１を形成するコンクリート１ａ内に埋設されるよう、引出具本体７の側方（図示実施の形態においては、側壁７ｇにおける筒部７ｈ方向とは直交する二方向の側方）に突出している。詳細には、固定片７ｄは、引出具本体７の外側であって、支持部７ｃと側壁７ｇとに跨るようにして、縦に延びている。そして、この固定片７ｄには、引出具本体７の内側であって、縦に延びて上方が支持部７ｃの上面に開口する溝７ｍが形成されており、この溝７ｍに前記螺子Ｒが螺入するようになっている。
【００１４】
また、本体部７ｆには、スラブ１を形成するコンクリート１ａの打設前に、そのコンクリート１ａに配筋される鉄筋Ｔ等に引出具本体７を固定するための、第１および第２の取付孔７ｎ、７ｐが必要に応じて設けられる。ここで、第１の取付孔７ｎは、本体部７ｆの、筒部７ｈとは反対側の側方に突出する取付部７ｑに明けられ、また、第２の取付孔７ｐは、本体部７ｆの底壁７ｒに明けられる。
【００１５】
光透過部７ｅは、耐火部材９の先端部分が入り込む凹部７ｓを備えており、この凹部７ｓは、筒部７ｈの先端面７ｉから段状に窪んで形成されている。また、光透過部７ｅは、凹部７ｓからさらに奥側ほど径小となるようにして窪むテーパー部７ｔを備えている。そして、このテーパー７ｔ部の奥端が開口して、前記引込口７ａとなっている。
【００１６】
蓋体８は、図１に示すように、引出具本体７における引出口７ｂを被うとともに、配管材２をスラブ１上に導く開口部８ａを有している。また、蓋体８は、引出具本体７の上端部側壁７ｊと嵌合するようにして支持部７ｃに載ることで、その引出具本体７に対して鉛直軸Ｖ回りに回動可能となっている。そして、前記開口部８ａは、この鉛直軸Ｖから偏心して設けられている。ここにおいて、蓋体８は、前記開口部８ａが設けられた蓋体本体８ｂと（図６参照）、その蓋体本体８ｂに螺合するとともに前記支持部７ｃに当接して蓋体本体８ｂを支える複数本（図示実施の形態においては３本）のビス８ｃ、８ｃとからなる。そして、蓋体本体８ｂの上面の高さは、その蓋体本体８ｂへのビス８ｃ、８ｃの螺入量によって調整可能となっている。さらに、蓋体本体８ｂには、前記螺子Ｒの螺軸Ｒ１を挿通させるための通し孔８ｄが、蓋体８の所定の回動位置に応じて、引出具本体７の固定片７ｄと対応するように、前記鉛直軸Ｖ回りに複数設けられている。
【００１７】
この蓋体本体８ｂは、図６に示すように、ステンレス鋼板等の板材を曲げ形成して得られ、平面視が円形に形成されている。そして、この蓋体本体８ｂは、その上面８ｊを形成する本体部８ｅと、蓋体本体８ｂの下面を形成する下部片８ｆ、８ｆとを備えている。この下部片８ｆ、８ｆは、本体部８ｅの周縁部分において、舌片８ｇ、８ｇを残すようにして各位置から下方に折り曲げられる連結片８ｈ、８ｈからさらに側方に折り曲げられて形成されている。そして、下部片８ｆ、８ｆには、前記ビス８ｃが螺入するねじ孔８ｉと、前記通し孔８ｄが、例えば、一つ置きに設けられている。
【００１８】
耐火部材９は、熱によって膨張することで、スラブ１内における配管材２の管路１ｂを塞ぐことが可能となっている。具体的には、耐火部材９は、図１に示すように、前記引出具本体７とは分離可能に形成されており、熱によって膨張する耐火材９ａ、９ａと、例えば鋼板等の金属からなるスリーブ９ｂとからなる。そして、耐火材９ａは、保護管３を包むように円筒形状をして二つ設けられており、それら耐火材９ａ、９ａを、スリーブ９ｂが、その両端部分に収容保持している。この耐火部材９は、保護管３に嵌められて、その先端部分が引出具本体７における凹部７ｓに挿入されており、引出口７ｂから、引出具本体７（詳細には、光透過部７ｅ）を通して視認可能となっている。その結果、耐火部材９における耐火材９ａ、９ａもまた、同様にして、保護管３に嵌められ、そして、一方の耐火材９ａの先端部分が、凹部７ｓに挿入されており、引出口７ｂから、引出具本体７（詳細には、光透過部７ｅ）を通して視認可能となっている。
【００１９】
キャップ体５は、引出口７ｂを閉塞するようにして引出具本体７に着脱可能に取り付けられるとともに、この取り付けにあたって、スラブ１から上方に突出することとなる第１取付状態（図９参照）と、スラブ１の上面１ｃよりも下方に位置することとなる第２取付状態（図１０参照）との、各取付状態が、選択可能となるよう形成されている。具体的には、キャップ体５は、例えば、ポリエチレン樹脂等の合成樹脂からなり、図７に示すように、円板状の上壁５ａと、その上壁５ａの周縁から下方に延びる、円筒状の側壁５ｂとからなる。そして、上壁５ａには、その中央に、マグネットＭを収容するためのマグネット収容部５ｃが設けられている。また、側壁５ｂは、高さ方向の中間部分５ｄが、切断可能に形成されている。すなわち、その中間部分５ｄは、外面側に形成された溝５ｅによって薄肉となっており、溝５ｅに合わせて刃物を入れることで、容易に切断される。そして、キャップ体５は、側壁５ｂの中間部分５ｄが切断されていない第１キャップ体Ｃ１（図７参照）と、中間部分５ｄが切断されて上側部分の第２キャップ体Ｃ２（図８参照）とで、選択的に使用される。そして、前記第１取付状態においては、第１キャップ体Ｃ１が、その側壁５ｂが引出口７ｂに嵌まるようにして、引出具本体７に取り付けられる（図９参照）。また、前記第２取付状態においては、第２キャップ体Ｃ２が、その側壁５ｂが引出口７ｂに嵌まるようにして、引出具本体７に取り付けられる（図１０参照）。そして、キャップ体５の側壁５ｂには、前記中間部分５ｄの下方に、第１取付状態において引出具本体７の係合突起７ｋ、７ｋと係合する第１係合凹部５ｆ、５ｆが設けられており、また、前記中間部分５ｄの上方に、第２取付状態において引出具本体７の係合突起７ｋ、７ｋと係合する第２係合凹部５ｇ、５ｇが設けられている。
【００２０】
次に、前記管引出具４を含む管引出装置６を用いて、スラブ１内に配管される配管材２をスラブ１上に引き出す施工手順を説明する。始めに、引出具本体７を、スラブ１を形成するコンクリート１ａに埋設される鉄筋Ｔに固定する。すなわち、第１の取付孔７ｎに挿通される第１支持棒Ｓ１や、第２の取付孔７ｐに挿通されるネジＮが螺合する固定具Ｋによってこの引出具本体７に固定された第２支持棒Ｓ２を、鉄筋Ｔに止める。そして、耐火部材９を保護管３に嵌め、その保護管３の一端を引込口７ａに挿入するとともに、耐火部材９の先端部分を凹部７ｓに挿入する。その後、キャップ体５を引出具本体７に取り付け、スラブ１を形成するコンクリート１ａを打設する（図９、図１０参照）。なお、図９は、キャップ体５として第１キャップ体Ｃ１を用いた実施の形態を示しており、図１０は、キャップ体５として第２キャップ体Ｓ２を用いた実施の形態を示している。
【００２１】
コンクリート１ａの養生後、キャップ体５を、引出具本体７から取り外す。ここで、第１キャップ体Ｃ１を用いた場合は、その第１キャップ体Ｃ１がスラブ１から上方に突出しているため、第１キャップ体Ｃ１を、すぐに引出具本体７から外すことができるが、第２キャップ体Ｃ２を用いた場合は、その第２キャップ体Ｃ２がスラブ１の上面１ｃよりも下方に位置しているため、第２キャップ体Ｃ２を被うコンクリート１ａを削り取った後に、その第２キャップ体Ｃ２を引出具本体７から外す。そして、配管材２を、保護管３に挿通させ、保護管３の一端から引き出し、つまりは、引出具本体７内に引込口７ａから引き込み、そして、その引き込まれた配管材２を引出口７ｂからスラブ１上に引き出す。その後、蓋体８を引出具本体７に取り付ける。このとき、配管材２を蓋体８の開口部８ａに挿通させるとともに、蓋体８を、引出具本体７に対して鉛直軸Ｖ回りの適宜位置にすることで、引出具本体７に対する開口部８ａの位置を調整する（図２、図３参照）。そして、支持部７ｃに当接するビス８ｃ、８ｃの、蓋体本体８ｂへの螺入量を調整することで、蓋体本体８ｂの上面８ｊの高さを、スラブ１の上面１ｃの高さと同一となるように調整する。その後、引出具本体７の固定片７ｄ、７ｄと対応する、蓋体本体８ｂの通し孔８ｄ、８ｄに、螺子Ｒ、Ｒを挿通させ、その螺子Ｒ、Ｒを、固定片７ｄ、７ｄの溝７ｍ、７ｍにねじ込むことで、蓋体８は、引出具本体７に取り付けられる（図１参照）。
【００２２】
次に、管引出具４および管引出装置６の作用効果について説明する。この管引出具４によると、建物のスラブ１内に配管される合成樹脂製の配管材２は、引込口７ａから引出具本体７内に入り、引出口７ｂからスラブ１上に引き出される。そして、詳細には、この管引出具４は、引出口７ｂを被う蓋体８を備えており、配管材２は、この蓋体８が有する開口部８ａを通ってスラブ１上に導かれる。また、このように、蓋体８が、引出具本体７における引出口７ｂを被うので、配管材２を引き出す引出口７ｂをコンクリート１ａによって埋める必要がない。さらに、蓋体８は、引出具本体７の支持部７ｃに支持されるとともに、その支持部７ｃの下方に入り込むコンクリート１ａによって間接的に支持されるので、このコンクリート１ａによって、蓋体８を確実に支持することができる。
【００２３】
また、蓋体８は、支持部７ｃ上で、引出具本体７に対して鉛直軸Ｖ回りに回動可能となっており、また、蓋体本体８ｂに設けられた開口部８ａは、前記鉛直軸Ｖから偏心して設けられているので、蓋体８を、引出具本体７に対して鉛直軸Ｖ回りに適宜回動することで、引出具本体７に対する開口部８ａの位置を調整することができる。こうして、配管材２が通る開口部８ａの位置を調整することで、配管材２を、スラブ１上の所要の方向に導くことができる（図２、図３参照）。さらに、蓋体本体８ｂを支えるビス８ｃ、８ｃの、その蓋体本体８ｂへの螺入量を変えて、蓋体本体８ｂの上面８ｊの高さを調整することで、その蓋体本体８ｂの上面８ｊを、例えば、スラブ１の上面１ｃと同一の高さ位置にすることができる。
【００２４】
また、蓋体８の所定の回動位置にて、蓋体本体８ｂの通し孔８ｄ、８ｄが、引出具本体７の固定片７ｄ、７ｄと対応する。そして、螺子Ｒが、通し孔８ｄを挿通し、固定片７ｄに螺入することで、蓋体８は、引出具本体７に固定される。このとき、引出具本体７の固定片７ｄがコンクリート１ａ内に埋設されているので、この固定片７ｄに、蓋体８を固定するための螺子Ｒが、雌ねじを形成するようにして螺入しても、この固定片７ｄは、螺子Ｒに押されて広がることがない。したがって、螺子Ｒと固定片７ｄとの密着が強固となり、蓋体８を引出具本体７に確実に固定することができる。
【００２５】
また、管引出具４は、耐火部材９を備えており、火災の際には、その熱によって耐火部材９が膨張し、その膨張した耐火部材９によって、スラブ１内における、配管材２および保護管３の、管路１ｂが塞がれる。したがって、この耐火部材９により、火災の際に配管材２や保護管３を伝って火炎が広がるのを防止することができる。しかも、この耐火部材９を、引出口７ｂから、半透明体からなる引出具本体７（詳細には、引込口７ａ付近の光透過部７ｅ）を通して視認することで、この耐火部材９を、スラブ１の施工後に確認することができる。
【００２６】
しかも、光透過部７ｅが、耐火部材９の先端部分が入り込む凹部７ｓを備えることで、その耐火部材９の先端部分が、スラブ１を形成するコンクリート１ａによって埋設されるのを確実に回避できる。したがって、この耐火部材９の先端部分を、引出口７ｂから確実に視認することができ、この耐火部材９を、スラブ１の施工後に、確実に確認することができる。
【００２７】
また、管引出装置６によると、この管引出装置６は、引出口７ｂを閉塞するようにして引出具本体７に着脱可能に取り付けられるキャップ体５を備えており、このキャップ体５を、スラブ１を形成するコンクリート１ａを打設する前に引出具本体７に取り付ければ、コンクリート１ａが引出口７ｂから引出具本体７内に入るのを防ぐことができる。そして、コンクリート１ａの打設養生後に、キャップ体５を引出具本体７から取り外せば、引出口７ｂが開口する。ここで、キャップ体５を第１取付状態とすると（図９参照）、このキャップ体５、つまりは第１キャップ体Ｃ１は、コンクリート１ａの打設後には、そのコンクリート１ａよりも上方に突出するので、この第１キャップ体Ｃ１は、引出具本体７から容易に取り外される。一方、キャップ体を第２取付状態とすると（図１０参照）、このキャップ体５、つまりは第２キャップ体Ｃ２は、コンクリート１ａの打設によって、そのコンクリート１ａに被われるので、コンクリート１ａの均し作業が容易となる。そして、この場合には、第２キャップ体Ｃ２を被うコンクリート１ａが削り取られた後に、第２キャップ体Ｃ２が引出具本体７から取り外される。このように、引出口７ｂを閉塞するキャップ体５を、スラブ１から上方に突出する第１取付状態と、スラブ１の上面１ｃよりも下方に位置する第２取付状態とのいずれかの状態で引出具本体７に取り付けることで、この引出具本体７は、施工される場所に応じた使い方が可能となる。
【００２８】
このとき、キャップ体５は、その側壁５ｂが、高さ方向の中間部分５ｄが切断可能に形成されることで、切断前の第１キャップ体Ｃ１と、切断後の上側部分の第２キャップ体Ｃ２とで、選択的に使用される。そして、引出具本体７に、第１キャップ体Ｃ１が取り付けられることで、前記第１取付状態となり、第２キャップ体Ｃ２が取り付けられることで、前記第２取付状態となる。このように、キャップ体５を、切断前の第１キャップ体Ｃ１と、切断後の上側部分の第２キャップ体Ｃ２とで、選択的に使用することで、容易に、前記第１取付状態と前記第２取付状態とが選択可能となっている。
【００２９】
なお、本発明は、上述した実施の形態に限定されるわけではなく、その他種々の変更が可能である。例えば、配管材２は、スラブ１内においては、保護管３によって収容保護されているが、この保護管３を設けることなく、配管材２を、スラブ１内に直接配管してもよい。また、保護管３は、スラブ１内に配管されるのみで、スラブ１上に引き出されていないが、この保護管３をスラブ１上に引き出すことで、この保護管３を、配管材とみなしてもよい。
【００３０】
また、引出具本体７は、半透明体からなっているが、透明体からなっていてもよい。
【００３１】
また、耐火部材９は、耐火材９ａとスリーブ９ｂとからなっているが、耐火材９ａのみからなっていてもよい。
【００３２】
また、引出具本体７における固定片７ｄには、溝７ｍが形成されているが、螺子Ｒの螺入が可能であれば、この溝７ｍはなくともよい。また、溝７ｍに代えて丸穴であってもよい。
【００３３】
また、キャップ体５は、切断前の第１キャップ体Ｃ１と、切断後の上側部分の第２キャップ体Ｃ２とを、選択的に使用することで、第１取付状態と第２取付状態とが選択可能となっているが、キャップ体５が切断されることなく、例えば、引出具本体７の引出口７ｂに嵌まる高さを２段階に調整可能となるよう、キャップ体５と引出具本体７との嵌合形状を形成してもよい。
【００３４】
ところで、この発明の実施の形態に開示されている技術には、以下の技術が含まれている。
【００３５】
・  建物のスラブ内に埋設されるとともに、前記スラブ内に配管される合成樹脂製の配管材を前記スラブ上に引き出すための管引出具と、キャップ体とからなる、管引出装置であって、
前記管引出具は、前記スラブ内の前記配管材を引き込む引込口、およびその引き込まれた前記配管材を前記スラブ上に引き出す引出口を有する引出具本体、を備え、
前記キャップ体は、前記引出口を閉塞するようにして前記引出具本体に着脱可能に取り付けられるとともに、この取り付けにあたって、前記スラブから上方に突出することとなる第１取付状態と、前記スラブの上面よりも下方に位置することとなる第２取付状態との、各取付状態が、選択可能となるよう形成されている。
【００３６】
・  前記キャップ体は、上壁と、側壁とを備え、
前記側壁は、高さ方向の中間部分が、切断可能に形成されて、
前記キャップ体は、前記中間部分が切断されていない第１キャップ体と、前記中間部分が切断されて上側部分の第２キャップ体とで、選択的に使用され、
前記第１取付状態においては、前記第１キャップ体が、その側壁が前記引出口に嵌まるようにして、前記引出具本体に取り付けられ、
前記第２取付状態においては、前記第２キャップ体が、その側壁が前記引出口に嵌まるようにして、前記引出具本体に取り付けられる。
【００３７】
【発明の効果】
以上、詳述したところから明らかなように、この発明に係る管引出具によれば、次の効果がある。
【００３８】
請求項１および２に記載された管引出具によれば、蓋体が、引出具本体における引出口を覆うので、配管材を引き出す引出口をコンクリートによって埋める必要がない。しかも、蓋体は、支持部の下方に入り込むコンクリートによって間接的に支持されるので、このコンクリートによって、蓋体を確実に支持することができる。しかも、蓋体を、引出具本体に対して鉛直軸回りに適宜回動することで、引出具本体に対する開口部の位置を調整し、配管材を、スラブ上の所要の方向に導くことができ、かつ、その回動位置にて、蓋体を引出具本体に固定することができる。
【００３９】
また、請求項３に記載された管引出具によれば、加えて、蓋体本体に螺合するビスの螺入量を変えることで、蓋体本体の上面を、例えば、スラブの上面と同一の高さ位置となるよう調整することができる。
【図面の簡単な説明】
【図１】  この発明に係る管引出具の一実施の形態の、断面図である。
【図２】  同じく、平面図である。
【図３】  同じく、図２において蓋体の向きを変えた平面図である。
【図４】  同じく、引出具本体の正面図である。
【図５】  同じく、引出具本体の平面図である。
【図６】  同じく、蓋体本体の拡大斜視図である。
【図７】  同じく、キャップ体（第１キャップ体）の拡大正面図である。
【図８】  同じく、キャップ体（第２キャップ体）の拡大正面図である。
【図９】  同じく、第１キャップ体を用いた施工手順を示す断面図である。
【図１０】  同じく、第２キャップ体を用いた施工手順を示す断面図である。
【図１１】  従来の管引出具を示す断面図である。
【符号の説明】
１  スラブ                        １ａ  コンクリート
２  配管材                        ４  管引出具
７  引出具本体                    ７ａ  引込口
７ｂ  引出口                      ７ｃ  支持部
７ｄ  固定片
８  蓋体                          ８ａ  開口部
８ｂ  蓋体本体                    ８ｃ  ビス
８ｄ  通し孔
Ｒ  螺子
Ｖ  鉛直軸
【図１】
0004398115.tif 000002
【図２】
0004398115.tif 000003
【図３】
0004398115.tif 000004
【図４】
0004398115.tif 000005
【図５】
0004398115.tif 000006
【図６】
0004398115.tif 000007
【図７】
0004398115.tif 000008
【図８】
0004398115.tif 000009
【図９】
0004398115.tif 000010
【図１０】
0004398115.tif 000011
【図１１】
0004398115.tif 000012